(57)【要約】【課題】吊り下げた収穫袋の袋口を広げて弛みを解消できるとともに、寸法が合わない収穫袋であっても吊り下げて収穫物の投入が可能となる簡易な構成の根菜類収穫機を提供する。【解決手段】根菜類収穫機１は、機体を支持して圃場走行する走行装置３と、圃場から根菜類を収穫物として収穫する収穫部５と、収穫物を収容するための方形の収穫袋Ｂを吊り下げる吊下装置とから構成され、上記吊下装置は、収穫袋Ｂの開口部の左右の側辺に沿って収穫袋Ｂのコーナー吊輪Ｒを吊下支持する左右のハンガー部材２２を備え、この左右のハンガー部材２２の両端には、コーナー吊輪Ｒの受位置を定める凹部２２ｒとその先端でコーナー吊輪Ｒの脱出を止める上向の屈曲部２２ｃを形成したものである。【選択図】図７
2006230362.tif 000002
【特許請求の範囲】
【請求項１】
機体を支持して圃場走行する走行装置（３）と、圃場から根菜類を収穫物として収穫する収穫部（５）と、収穫物を収容するための方形の収穫袋（Ｂ）を吊り下げる吊下装置とからなる根菜類収穫機において、上記吊下装置は、収穫袋（Ｂ）の開口部の左右の側辺に沿って収穫袋（Ｂ）のコーナー吊輪（Ｒ）を吊下支持する左右のハンガー部材（２２）を備え、この左右のハンガー部材（２２）の両端には、コーナー吊輪（Ｒ）の受位置を定める凹部（２２ｒ）とその先端でコーナー吊輪（Ｒ）の脱出を止める上向の屈曲部（２２ｃ）を形成したことを特徴とする根菜類収穫機。
【請求項２】
前記凹部（２２ｒ）には、コーナー吊輪（Ｒ）が同凹部（２２ｒ）から外れるのを防止する外れ防止部材（２２ｇ）を設けたことを特徴とする請求項１記載の根菜類収穫機。
【発明の詳細な説明】
【技術分野】
【０００１】
本発明は、圃場から根菜類を収穫物として走行収穫する走行収穫部と、受けた収穫物を収容するための方形の収穫袋を吊り下げる吊下装置とからなり、圃場で根菜類を収穫走行して収穫袋に収容する根菜類収穫機に関するものである。
【背景技術】
【０００２】
特許文献１に示す根菜類収穫機は、圃場から根菜類を収穫物として走行収穫する走行収穫部と、受けた収穫物を収容するための方形の収穫袋を吊り下げる吊下装置とからなり、圃場で根菜類を収穫走行して吊下装置の収穫袋に収容するものである。この収穫機においては、吊り下げた収穫袋の袋口を広げるようにリンク機構を吊部に構成することにより、吊下装置に吊った袋口の弛みを解消して収穫物の投入の確実化を図ることができる。
【０００３】
しかし、上記根菜類収穫機の吊下装置は、リンク機構を設けたことから、吊部の構成の複雑化を招くとともに、適合しうる収穫袋の大きさの制約を受けるという問題を内包することとなった。
【特許文献１】実開平６−２３４１３号公報
【発明の開示】
【発明が解決しようとする課題】
【０００４】
本発明の目的は、吊り下げた収穫袋の袋口を広げて弛みを解消できるとともに、寸法が合わない収穫袋であっても吊り下げて収穫物の投入が可能となる簡易な構成の根菜類収穫機を提供することにある。
【課題を解決するための手段】
【０００５】
請求項１の発明は、機体を支持して圃場走行する走行装置（３）と、圃場から根菜類を収穫物として収穫する収穫部（５）と、収穫物を収容するための方形の収穫袋（Ｂ）を吊り下げる吊下装置とからなる根菜類収穫機において、上記吊下装置は、収穫袋（Ｂ）の開口部の左右の側辺に沿って収穫袋（Ｂ）のコーナー吊輪（Ｒ）を吊下支持する左右のハンガー部材（２２）を備え、この左右のハンガー部材（２２）の両端には、コーナー吊輪（Ｒ）の受位置を定める凹部（２２ｒ）とその先端でコーナー吊輪（Ｒ）の脱出を止める上向の屈曲部（２２ｃ）を形成したことを特徴とする。
【０００６】
収穫袋に収穫物が入って重量が重くなると吊輪が所定位置の凹部に入り込み、袋口を所定寸法に張ることができる。
【０００７】
請求項２の発明は、請求項１の発明において、前記凹部（２２ｒ）には、コーナー吊輪（Ｒ）が同凹部（２２ｒ）から外れるのを防止する外れ防止部材（２２ｇ）を設けたことを特徴とする。上記凹部の外れ防止部材により、コーナー吊輪の飛び出しが防止される。
【発明の効果】
【０００８】
請求項１の構成により、収穫袋に収穫物が入って重量が重くなると吊輪が所定位置の凹部に入り込み、袋口を所定寸法に張ることができる。したがって、収穫袋の開口部が大きくなって収穫物が入り易くなる。また、そのコーナー吊輪が凹部に位置決めされることから、吊下装置の寸法より大きな収穫袋でも、コーナー吊輪が外れることなく、収穫袋を吊下げて収穫物を収容することができる。
【０００９】
請求項２の構成により、凹部の外れ防止部材により、コーナー吊輪の飛び出しが防止されるので、吊下装置の寸法より大きな収穫袋でも、コーナー吊輪の位置が安定することから、収穫物を支障なく収容することができる。
【発明を実施するための最良の形態】
【００１０】
本発明の実施の形態について、以下に図面に基づいて詳細に説明する。
本発明の根菜類収穫機１は、その一構成例の平面図、右側面図、左側面図を図１〜図３に夫々示すように、左右のクローラ３，３等からなる走行装置によって支持される機体に、走行および機器操作のための操縦部４、圃場に植生する根菜系作物を取り込む収穫部５、取り込んだ作物を選別作業するための選別部６、選別後の作物を収容する収容部７等を備えて構成される。
【００１１】
収穫部５には、作物の茎葉部を挟持し根菜本体部を吊下げた状態で圃場から引き上げ、後側上方に搬送する左右一対の引上搬送ベルト１２，１２を設け、該引上搬送ベルト１２，１２の前側に根菜の葉部を引起しする引起装置１１、土堀り用のソイラ５ｓを配置し、引上搬送ベルト１２，１２の後部に引上搬送ベルト１２，１２から根菜を受けて茎葉部を切断する茎葉処理装置１３を設ける。また、切断されて茎葉部から分離して落下する根菜本体部を受けて根菜本体部側に残る茎葉を取り除く残葉処理装置１４等を備える。
【００１２】
選別部６は、図４の要部斜視図に示すように、茎葉処理装置１３の下方を選別始端側に、収容部７の上方を搬送終端側とし、機体後部を機体平面視左右方向にわたって構成する移送ベルト６ｂを傾動可能に設けている。移送ベルト６ｂは搬送始端側から搬送終端側に向かって上昇するよう傾斜して構成し、後部座席６ｚに着座する作業者が不良作物を選別する不良作物選別部を構成している。操縦者が操縦座席４ｚに着座して根菜類収穫機を操縦しながら、後部座席６ｚに着座する作業者が移送ベルト６ｂを流れる収穫した作物から不良の作物を手で選別除去可能に構成している。
【００１３】
移送ベルト６ｂは、図５の傾動動作説明図に示すように、収穫袋Ｂ内の収穫物の堆積量に合わせて上昇させるために、中段位置６ｃを中心に後半部を傾動して終端位置を昇降可能にシリンダ６ｓを設ける。移送ベルト６ｂの終端の最大張り出し位置は、収穫袋Ｂ内の収穫物の堆積を平均化するために、収穫袋Ｂの移送ベルト６ｂ側の半分の中央位置、即ち、収穫袋Ｂの内側袋壁から外側袋壁までの距離の４分の１の位置に設定する。移送ベルト６ｂの傾動制御は、図６の制御系統図に示すように、作業座席６ｚの近傍に設けたスイッチまたはペダルの操作に応じてシリンダ６ｓを伸縮駆動制御する。
【００１４】
収容部７は、移送ベルト６ｂの移送終端側のフレーム６ｆから左右の吊アーム２１ａ，２１ａを延出し、この吊アーム２１ａ，２１ａに左右のハンガー部材２２，２２を吊り下げ、その両端部に収穫袋Ｂの袋口の四隅のコーナー吊輪Ｒ…を掛け止めるように吊下装置を構成し、収穫袋Ｂの底部を支持するバケット２３を傾動可能に設ける。
【００１５】
左右のハンガー部材２２，２２は、図７（ａ）の斜視図のように、屈曲する支持部２２ｓを中央に、また、それぞれの両端には、図７（ｂ）の拡大図のように、コーナー吊輪Ｒを案内してその受位置を定める傾斜による凹部２２ｒ、２２ｒとその先端でコーナー吊輪Ｒの脱出を止める上向の屈曲部２２ｃ、２２ｃを形成する。
【００１６】
上記ハンガー部材２２，２２により、収穫袋Ｂに収穫物が入って重量が重くなると吊輪Ｒが所定位置の凹部２２ｒに傾斜に沿って案内され、袋口を所定寸法に張ることができる。したがって、収穫袋Ｂの開口部が大きくなって収穫物が入り易くなる。また、そのコーナー吊輪Ｒが凹部２２ｒに位置決めされることから、吊下装置の寸法より大きな収穫袋でも、コーナー吊輪が外れることなく、収穫袋を吊下げて収穫物を収容することができる。
【００１７】
この場合において、凹部には、図８の拡大図に示すように、コーナー吊輪Ｒが凹部から外れるのを防止する外れ防止部材２２ｇを設けることにより、コーナー吊輪Ｒの飛び出しが防止されるので、吊下装置の寸法より大きな収穫袋Ｂでも、コーナー吊輪Ｒが安定して収穫物を収容することができる。
【００１８】
バケット２３は、その斜視図、側面図、平面図、動作説明図を図９〜図１２に示すように、その外側部に回動アーム２３ａを溶接Ｗ等により一体に固着することにより、外側方向寸法を小さく抑えることができる。また、作用リンク２３ｗを低位置に配置することにより、収穫袋Ｂを支障なく折り畳みすることができる。
【００１９】
左右の吊アーム２１ａ，２１ａの固定部の構成は、拡大平面図、断面図を図１３、図１４にそれぞれ示すように、移送ベルト６ｂのフレーム６ｆにシャフト２４を通して同フレーム６ｆの両側部に締結する。このように構成することによって剛性を強化することができるので、フレーム６ｆが収穫物の重みで変形するような事態を回避することができる。
【００２０】
ハンガー部材２２，２２の支持構成は、その側面図を図１５に示すように、左右の吊アーム２１ａ，２１ａの先端の支軸２１ｐに一部に切欠部２１ｒを形成した切欠回動板２１ｄを軸支し、この切欠回動板２１ｄの切欠部２１ｒに支持部２２ｓの屈曲端を保持する。回動板２１ｄには操作レバー２１ｈを取付け、この操作レバー２１ｈにより支持部２２ｓを支点越えのセット位置Ｓと解除位置Ｆに選択操作可能に構成する。
【００２１】
この操作レバー２１ｈの操作により、ハンガー部材２２，２２を支点越えのセット位置Ｓに安定して収穫袋Ｂをセットすることができる。すなわち、収穫袋Ｂに収穫物が溜まっていって収穫袋Ｂの重量が大きくなっても、支持部２２ｓが切欠部から外れない。また、操作レバー２１ｈの操作により、解除位置Ｆまで簡易に操作してハンガー部材２２，２２を切欠回動板２１ｄから取り外しすることができる。
【図面の簡単な説明】
【００２２】
【図１】根菜類収穫機の一構成例の平面図である。
【図２】図１の根菜類収穫機の右側面図である。
【図３】図１の根菜類収穫機の左側面図である。
【図４】収容部の要部斜視図である。
【図５】移送ベルの傾動動作説明図である。
【図６】移送ベルトの傾動制御の制御系統図である。
【図７】ハンガー部材の斜視図（ａ）および拡大図（ｂ）である。
【図８】ハンガー部材の凹部の拡大図である。
【図９】バケットの斜視図である。
【図１０】バケットの側面図である。
【図１１】バケットの平面図である。
【図１２】バケットの動作説明図である。
【図１３】吊アームの固定部の平面図である。
【図１４】吊アームの固定部の断面図である。
【図１５】吊アームの支持部の側面図である。
【符号の説明】
【００２３】
１    根菜類収穫機
３    走行部
５    収穫部
６    選別部
６ｂ    移送ベルト
７    収容部
２１ａ    吊アーム
２１ｄ    切欠回動板
２１ｈ    操作レバー
２１ｐ    支軸
２２    ハンガー部材
２２ｇ    外れ防止部材
２２ｒ    凹部
２１ｄ    回動板
２２ｃ    屈曲部
２２ｓ    支持部
２３    バケット
Ｂ    収穫袋
Ｓ    セット位置
Ｆ    解除位置
Ｒ    コーナー吊輪
【図１】
2006230362.tif 000003
【図２】
2006230362.tif 000004
【図３】
2006230362.tif 000005
【図４】
2006230362.tif 000006
【図５】
2006230362.tif 000007
【図６】
2006230362.tif 000008
【図７】
2006230362.tif 000009
【図８】
2006230362.tif 000010
【図９】
2006230362.tif 000011
【図１０】
2006230362.tif 000012
【図１１】
2006230362.tif 000013
【図１２】
2006230362.tif 000014
【図１３】
2006230362.tif 000015
【図１４】
2006230362.tif 000016
【図１５】
2006230362.tif 000017